(57)【要約】      （修正有）【課題】 携帯可能な筐体の表面に表示部を備えた各種電子機器に装着することで、未使用時に表示部を保護し、落下などによる衝撃力から保護し、使用時には表示部を載置面に対する傾斜角度に保持でき、かつ装着状態で各種拡張端子類が使用できる携帯機器用保護カバーの提供。【解決手段】扁平箱形の筐体２と、表面に配置される表示部３とを備えた各種電子機器１に用いられる携帯機器用保護カバー５であって、筐体の各角部を保護する形状部７ａ〜７ｇを弾性材料から形成した枠部材６と、表示部の表示面３ａを保護する保護面３ａを有した保護カバー部材８と表示面を傾斜状態で支持する支持部材１０、１１とを備える。【選択図】  図１
2007127980.tif 000002
【特許請求の範囲】
【請求項１】
携帯可能な大きさを有する扁平箱形の筐体と、前記筐体の表面に配置される液晶表示器または有機ＥＬ表示器を含む表示部と、を備えた各種電子機器に用いられる携帯機器用保護カバーであって、
前記筐体の各角部を保護する形状部を弾性材料から形成した枠部材と、
前記枠部材に設けられ、かつ前記表示部の表示面を保護する保護面を有した保護カバー部材と、
前記表示面を前記各種電子機器の載置面に対する傾斜状態で支持する支持部材と、を備えることを特徴とする携帯機器用保護カバー。
【請求項２】
携帯可能な大きさを有する扁平箱形の筐体と、前記筐体の表面に配置される液晶表示器または有機ＥＬ表示器を含む表示部とを備えた各種電子機器に用いられる携帯機器用保護カバーであって、
前記筐体の各角部を保護する形状部を弾性材料から形成した枠部材と、
前記枠部材に対してその縁部が開閉自在に設けられ、かつ前記表示部の表示面を保護する保護面を有し、前記枠部材に対してその他端が着脱される保護カバー部材と、
前記表示面を前記各種電子機器の載置面に対する傾斜状態で支持する支持部材と、を備えることを特徴とする携帯機器用保護カバー。
【請求項３】
前記形状部は、前記筐体の裏面側に対向配置される枠体基部から延設され、かつ前記筐体の側面に配置される各種コネクタ類を塞がず、かつ弾性変形後に前記各角部に当接することを特徴とする請求項２に記載の携帯機器用保護カバー。
【請求項４】
前記枠体基部に配置された一方の係止部材と、
前記保護カバー部材の前記他端から延設されることで、前記一方の係止部材に対して係合される他方の係止部材と、を備え、
前記保護カバー部材が前記表示部を覆う状態で双方の前記係止部材が係合され、
前記保護カバー部材が前記表示面から略２７０度の角度分開かれ、双方の前記係止部材が係合されることで前記傾斜状態になることで、双方の前記係止部材は、前記支持部材を兼ねることを特徴とする請求項３に記載の携帯機器用保護カバー。
【請求項５】
前記一方の係止部材は、雄面ファスナーであり、前記他方の係止部材は、雌面ファスナーであることを特徴とする請求項４に記載の携帯機器用保護カバー。
【請求項６】
携帯可能な大きさを有する扁平箱形の筐体と、前記筐体の表面に配置される液晶表示器または有機ＥＬ表示器を含む表示部とを備えた各種電子機器に用いられる携帯機器用保護カバーであって、
前記筐体の各角部を保護する形状部を弾性材料から形成した枠部材と、
前記筐体の裏面側に配置される底面と、前記筐体の前後面に配置される前後側面と、表示部の表示面を保護する保護面とを有し、前記枠部材に対して前記底面が固定され、かつ開閉自在にその他端が着脱可能に設けられる保護カバー部材と、
前記表示面を前記各種電子機器の載置面に対する傾斜状態で支持する支持部材と、を備えることを特徴とする携帯機器用保護カバー。
【請求項７】
前記形状部は、前記筐体の裏面側に対向配置される枠体基部から延設されるとともに、前記筐体の側面に配置される各種コネクタ類を塞がず、かつ弾性変形後に前記各角部に当接するとともに、前記保護カバー部材の前記底面は締結部材を用いて固定されることを特徴とする請求項６に記載の携帯機器用保護カバー。
【請求項８】
前記保護カバー部材の一方の縁部に配置された一方の係止部材と、
前記保護カバー部材の前記他端に配置されることで、前記一方の係止部材に対して係合される他方の係止部材と、を備え、
さらに、前記保護カバー部材の前記保護面は二つ折可能に形成され、
前記保護カバー部材が前記表示部から略２７０度の角度分開かれ、前記保護面が折り曲げられ双方の前記係止部材が係合され、前記傾斜状態になることで、前記支持部材を兼ねたことを特徴とする請求項６に記載の携帯機器用保護カバー。
【請求項９】
前記一方の係止部材は、雄面ファスナーであり、前記他方の係止部材は、雌面ファスナーであることを特徴とする請求項８に記載の携帯機器用保護カバー。
【請求項１０】
前記枠体基部において、一端が回動軸支される専用支持部材を設けたことを特徴とする請求項７乃至９のいずれか１項に記載の携帯機器用保護カバー。
【請求項１１】
携帯可能な大きさを有する扁平箱形の筐体と、前記筐体の表面に配置される液晶表示器または有機ＥＬ表示器を含む表示部とを備えた各種電子機器に用いられる携帯機器用保護カバーであって、
前記筐体の各角部を保護する形状部と、前記筐体の裏面に対向する横梁部材とを弾性材料から形成した枠部材と、
前記枠部材において、その下縁部が開閉自在に設けられ、かつ前記表示部の表示面を保護する二つ折可能な保護面を有し、かつ前記横梁部材にその一端が挿入される保護カバー部材と、
前記表示面を前記各種電子機器の載置面に対する傾斜状態で支持するために、前記保護カバー部材を前記表示部から略２７０度の角度分開き、前記保護面を二つ折後に、前記一端を前記横梁部材に挿入することで、前記表示面を前記各種電子機器の載置面に対する任意の角度の傾斜状態にすることを特徴とする携帯機器用保護カバー。
【請求項１２】
前記枠部材は、所定剛性を有する金属芯部材をインサート成型したことを特徴とする請求項１１に記載の携帯機器用保護カバー。
【請求項１３】
前記弾性材料は、着色及び射出成型可能なポリプロピレン樹脂、シリコン、エラストマー、ナイロン系樹脂、エンプラ樹脂を含み、
また、前記保護カバー部材の各面を形成する少なくとも前記保護面は、トリコットを含む裏材と、ＥＶＡを含む発泡素材と、ポリエチレンボートと、ウレタンスポンジと、合成皮革とテキスタイルを含む表材とを積層し、縁を縫合を含む方法で接合して形成されることを特徴とする請求項１乃至１２のいずれか１項に記載の携帯機器用保護カバー。
【発明の詳細な説明】
【技術分野】
【０００１】
本発明は、携帯機器用保護カバーに係り、特に携帯可能な大きさの扁平箱形の筐体上に液晶表示器または有機ＥＬ表示器を含む表示部を備えた各種電子機器に用いられる携帯機器用保護カバーに関する。
【背景技術】
【０００２】
電子技術の進歩は目覚しく、携帯可能なサイズの筐体内にＣＰＵ素子、記憶装置、電源他を内蔵し、筐体上に大型の表示部を備えた各種電子機器である超小型パソコン、ＰＤＡ、携帯電話、動画再生専用機器などの携帯可能な機種が多数実用化されている。
【０００３】
これらの電子機器は、持ち歩いて使用されることを前提に設計されているので、ある程度の筐体自体の強度は確保されている。
【０００４】
一方、所謂ノート型パソコンは大型の液晶表示部がフルキーボード面に対して折り畳み可能に設けられており、携帯時に２つ折りして液晶表示部を保護でき、使用時には液晶表示部を好みの傾斜角度にセットできるように構成されている。
【０００５】
また、このようなノート型パソコンを衝撃力から保護し、かつ使用の都度携帯時に必要な拡張ユニットを接続する手間を省いた保護カバーも提案されている。（特許文献１）
【特許文献１】特開２０００−１８１５７４号公報。
【発明の開示】
【発明が解決しようとする課題】
【０００６】
しかしながら、上記の保護カバーは、液晶表示部を任意の角度にセットすることができるノート型パソコン用である。これに対して、上記の小型化された電子機器によれば、例えば衣類の胸ポケットに入れて持ち歩けるようにするために、携帯可能な大きさの扁平箱形の筐体の表面上に平らな表示部を設けている。このような機種は、携帯時に保護カバーに入れて持ち歩くことで表示部を衝撃力から保護できるようになるが、筐体が小型扁平であるので自立させることができず机上などの載置面上に表示部を傾斜させて置くことができない。
【０００７】
したがって、本発明は上記の問題点に鑑みて成されたものであり、携帯可能な筐体の表面に表示部を備えた各種電子機器に対して装着することで、未使用時において表示部を保護することができるとともに、落下などによる衝撃力から電子機器を保護でき、かつ使用時において簡単な操作で表示部を載置面に対する傾斜角度に保持できる携帯機器用保護カバーの提供を目的としている。
【課題を解決するための手段】
【０００８】
上述した課題を解決し、目的を達成するために、本発明によれば、携帯可能な大きさを有する扁平箱形の筐体（２）と、前記筐体の表面に配置される液晶表示器または有機ＥＬ表示器を含む表示部（３）と、を備えた各種電子機器（１）に用いられる携帯機器用保護カバー（５）であって、前記筐体の各角部を保護する形状部（７）を弾性材料から形成した枠部材と、前記枠部材に設けられ、かつ前記表示部の表示面（３ａ）を保護する保護面（３ａ）を有した保護カバー部材（８）と、前記表示面を前記各種電子機器の載置面に対する傾斜状態で支持する支持部材とを備えることを特徴としている。
【０００９】
また、携帯可能な大きさを有する扁平箱形の筐体と、前記筐体の表面に配置される液晶表示器または有機ＥＬ表示器を含む表示部とを備えた各種電子機器に用いられる携帯機器用保護カバーであって、前記筐体の各角部を保護する形状部を弾性材料から形成した枠部材と、前記枠部材に対してその縁部が開閉自在に設けられ、かつ前記表示部の表示面を保護する保護面を有し、前記枠部材に対してその他端が着脱される保護カバー部材と、前記表示面を前記各種電子機器の載置面に対する傾斜状態で支持する支持部材とを備えることを特徴としている。
【００１０】
また、前記形状部は、前記筐体の裏面側に対向配置される枠体基部から延設され、かつ前記筐体の側面に配置される各種コネクタ類を塞がず、かつ弾性変形後に前記各角部に当接することを特徴としている。
【００１１】
また、前記枠体基部に配置された一方の係止部材と、前記保護カバー部材の前記他端から延設されることで、前記一方の係止部材に対して係合される他方の係止部材とを備え、前記保護カバー部材が前記表示部を覆う状態で双方の前記係止部材が係合され、前記保護カバー部材が前記表示面から略２７０度の角度分開かれ、双方の前記係止部材が係合されることで前記傾斜状態になることで、双方の前記係止部材は、前記支持部材を兼ねることを特徴としている。
【００１２】
また、前記一方の係止部材は、雄面ファスナーであり、前記他方の係止部材は、雌面ファスナーであることを特徴としている。
【００１３】
また、携帯可能な大きさを有する扁平箱形の筐体と、前記筐体の表面に配置される液晶表示器または有機ＥＬ表示器を含む表示部とを備えた各種電子機器に用いられる携帯機器用保護カバーであって、前記筐体の各角部を保護する形状部を弾性材料から形成した枠部材と、前記筐体の裏面側に配置される底面と、前記筐体の前後面に配置される前後側面と、表示部の表示面を保護する保護面とを有し、前記枠部材に対して前記底面が固定され、かつ開閉自在にその他端が着脱可能に設けられる保護カバー部材と、前記表示面を前記各種電子機器の載置面に対する傾斜状態で支持する支持部材とを備えることを特徴としている。
【００１４】
また、前記形状部は、前記筐体の裏面側に対向配置される枠体基部から延設されるとともに、前記筐体の側面に配置される各種コネクタ類を塞がず、かつ弾性変形後に前記各角部に当接するとともに、前記保護カバー部材の前記底面は締結部材を用いて固定されることを特徴としている。
【００１５】
また、前記保護カバー部材の一方の縁部に配置された一方の係止部材と、前記保護カバー部材の前記他端に配置されることで、前記一方の係止部材に対して係合される他方の係止部材とを備え、さらに、前記保護カバー部材の前記保護面は二つ折可能に形成され、前記保護カバー部材が前記表示部から略２７０度の角度分開かれ、前記保護面が折り曲げられ双方の前記係止部材が係合され、前記傾斜状態になることで、前記支持部材を兼ねたことを特徴としている。
【００１６】
また、前記一方の係止部材は、雄面ファスナーであり、前記他方の係止部材は、雌面ファスナーであることを特徴としている。
【００１７】
また、前記枠体基部において、一端が回動軸支される専用支持部材を設けたことを特徴としている。
【００１８】
また、携帯可能な大きさを有する扁平箱形の筐体と、前記筐体の表面に配置される液晶表示器または有機ＥＬ表示器を含む表示部とを備えた各種電子機器に用いられる携帯機器用保護カバーであって、前記筐体の各角部を保護する形状部と、前記筐体の裏面に対向する横梁部材とを弾性材料から形成した枠部材と、前記枠部材において、その下縁部が開閉自在に設けられ、かつ前記表示部の表示面を保護する二つ折可能な保護面を有し、かつ前記横梁部材にその一端が挿入される保護カバー部材と、前記表示面を前記各種電子機器の載置面に対する傾斜状態で支持するために、前記保護カバー部材を前記表示部から略２７０度の角度分開き、前記保護面を二つ折後に、前記一端を前記横梁部材に挿入することで、前記表示面を前記各種電子機器の載置面に対する任意の角度の傾斜状態にすることを特徴としている。
【００１９】
また、前記枠部材は、所定剛性を有する金属芯部材をインサート成型したことを特徴としている。
【００２０】
そして、前記弾性材料は、着色及び射出成型可能なポリプロピレン樹脂、シリコン、エラストマー、ナイロン系樹脂、エンプラ樹脂を含み、また、前記保護カバー部材の各面を形成する少なくとも前記保護面は、トリコットを含む裏材と、ＥＶＡを含む発泡素材と、ポリエチレンボートと、ウレタンスポンジと、合成皮革とテキスタイルを含む表材とを積層し、縁を縫合を含む方法で接合して形成されることを特徴としている。
【発明の効果】
【００２１】
本発明の携帯機器用保護カバーを、携帯可能な筐体の表面に表示部を備えた各種電子機器に装着することで、未使用時に表示部を保護することができ、落下などによる衝撃力から保護でき、かつまた使用時には表示面を載置面に対する傾斜角度に保持することができることとなる。
【発明を実施するための最良の形態】
【００２２】
以下に本発明の好適な各実施形態について、添付図面を参照して説明する。
【００２３】
ここで、以下に述べる各実施形態において、本発明の携帯機器用保護カバーは携帯可能な大きさを有する扁平箱形の筐体の表面に配置される液晶表示器または有機ＥＬ表示器を含む表示部を備えた各種電子機器に用いられ、筐体の各角部を保護する形状部を弾性材料から形成した枠部材と、この枠部材に設けられ、かつ表示部の表示面を保護する保護面を有した保護カバー部材と、この表示面を電子機器の載置面に対する傾斜状態で支持する支持部材とを備えることを共通の特徴としている。また、各種電子機器は、手のひらサイズまたは文庫本サイズの超小型パソコンやＰＤＡ（ページャ）、携帯電話、動画再生専用機器などがあるが、これらの他にも携帯可能な機種に対して専用設計された本発明の携帯機器用保護カバーが使用できることは言うまでもない。
【００２４】
まず、図１は、電子機器と本発明の第１実施形態に基づく携帯機器用保護カバーの外観斜視図である。本図において、電子機器１は、携帯可能な手のひらサイズの扁平箱型の筐体２の内部にＣＰＵ素子、記憶装置、電池他を内蔵しており筐体２の表面２ａ上に大型の液晶表示器または有機ＥＬ表示器による薄型の表示部３を備えている。表示部３の表示面３ａは図示のように平坦であり、表面２ａの全面積を略占める大きさを備えている。この表示部３の左右には操作ボタンとジョイスティック他が配置されており、必要最小限の操作を可能にしている。また、表示部３はフルキーボード画面の表示が可能であり、これを付属のペンもしくは指先でタッチ入力できるように構成されている。
【００２５】
また、筐体２の左右の側面２ｄには、外部への入出力端子となるコネクタ類１ａが配置されており、画像情報を大容量の内蔵記憶装置に入力可能にしている。さらに、前面２ｂには小型スピーカが内蔵されている。また、裏面２ｆには、内蔵電池の交換用の蓋部材などが設けられている。
【００２６】
携帯機器用保護カバー５は、筐体１の各側面２ｂ、２ｄ、２ｄ、２ｃと表面２ａとの間で形成された各角部と側面２ｂ、２ｄ、２ｄ、２ｃと、裏面２ｆとの間で筐体２に形成された各角部を衝撃力などから保護するために形状部７ａ、７ｂ、７ｃ、７ｄ、７ｆ、７ｇを弾性材料から形成した枠部材６０を備えている。この弾性材料は、着色及び射出成型可能なポリプロピレン樹脂、シリコン、エラストマー、ナイロン系樹脂、エンプラ樹脂であるＡＢＳなどが含まれる。
【００２７】
枠部材６０の枠体基部６は、図示のような形状を有する板状に成型されるとともに、この枠体基部６からは図示のような十分な長さを有する延設部６ａが左右対称に合計で８箇所成型されている。また、各延設部６ａの先端からは筐体２の高さ分が起立され上記の各形状部７ａ、７ｂ、７ｃ、７ｄ、７ｆ、７ｇが一体成型されている。このように形成することで、各形状部の延設部が個別に弾性変形できるので後述するように手で外側に広げることができ、手を離すと元の位置に復帰して、表面２ａに密着して当接できるように構成されている。また、各形状部の起立部分は筐体の側面に配置された上記の各種コネクタ類を塞がないようにしている。さらに、形状部は断面が家型の十分な厚さを備えているので衝撃力を吸収できるように構成されている。
【００２８】
この枠体基部６の裏面には一方の係止部材となる雄面ファスナー１１と係合される他方の係止部材となる破線図示の雌面ファスナー１２が接着固定されている。ここで、これらの雌雄面ファスナーに代えてパチン嵌合するボタン用ホック、ワンタッチファスナーも使用可能である。
【００２９】
形状部７ｃと７ｇの間には横棒部材６ｂがさらに一体成型されており、この横棒部材６ｂには２つの筒体９が挿入されている。これらの筒体９は筐体２の表示部３の表示面３ａを保護する保護面８ａを有した保護カバー部材８の縁部に固定されており、保護カバー８を枠部材６０に対して開閉自在にしている。この保護カバー部材８の左右縁部には上記の形状部７ｂ、７ｆを取り囲む形状の凹部８ｂ、８ｂが形成されている。
【００３０】
また、保護カバー部材８の略中央の縁部からは係止片１０が固定されており、この係止片１０に固定された雄面ファスナー１１が上記雌面ファスナー１２に対して係合することで保護カバー部材８を固定できるようにしている。
【００３１】
次に、図２（ａ）は図１の携帯機器用保護カバー５に電子機器１を装着する前の外観斜視図、図２（ｂ）は装着後の外観斜視図である。
【００３２】
本図において、既に説明済みの構成または部品については同様の符号を附して説明を割愛すると、先ず、図２（ａ）において、携帯機器用保護カバー５に電子機器１を装着するために形状部７ｂ、７ｆを矢印Ｄ１方向に手で移動し、同時に形状部７ａ、７ｄを矢印Ｄ２方向に手で移動して電子機器１を枠体基部６上に置く。この後、手を離すと図２（ｂ）に図示のように筐体１の表面２ａ上に各形状部が弾性変形して戻り各角部に当接する状態となる。以上でセットが終え、電子機器１を使用できることとなる。
【００３３】
また、使用後に持ち運ぶ場合には、保護カバー部材８を図面の手前側に回動させて雌雄面ファスナーを係止することで保護カバー部材８の保護面８ａは表示部３の表示面３ａを覆う状態にすることができる。
【００３４】
この状態では、不注意で床面上など落下させた場合、あるいは室内の壁面などにぶつけてしまった場合であっても、各形状部が適度に変形して衝撃吸収して筐体の各角部を保護できる。
【００３５】
図３（ａ）は図１、図２の携帯機器用保護カバー５に電子機器１を装着後の携帯時の側面図、図３（ｂ）は保護カバー部材８を開く様子を図示した側面図、（ｃ）は傾斜状態を図示した側面図である。
【００３６】
本図において、既に説明済みの構成または部品については同様の符号を附して説明を割愛すると、先ず、図３（ａ）において、係止片１０の雄面ファスナー１１は枠体基部の雌面ファスナー１２に対して係止されており、保護カバー部材８の保護面で表示部の表示面を覆う状態になっている。この状態で、カバンなどに入れて持ち運ぶことができる。
【００３７】
続いて、図３（ｂ）において、雌雄面ファスナー１０、１１の係合を解除し、保護カバー部材８を筒体９回りに回動して表示部から２７０度以上の角度分回動する。
【００３８】
そして、図３（ｃ）において、双方の雌雄面ファスナー１０、１１を係止する。以上で載置面Ｆ上に図示のような傾斜状態にして置くことが可能となるので、使用者は表示部３の表示面３ａを正面から見ることができるようになる。このとき、電子機器１の側面は図示のように露出していることから、各種の拡張端子類を接続した状態で使用できる。
【００３９】
なお、雌雄面ファスナーの内、雄面ファスナー１１は先端が鉤状となっており、触ったときに痛いが雌面ファスナーは輪状であり肌ざわりが良いことから、接触する機会の多い枠体基部にこの雌面ファスナーを固定している。
【００４０】
次に、図４は本発明の第２実施形態に基づく携帯機器用保護カバーを電子機器とともに、底面側から見た外観斜視図である。本図において、既に説明済みの構成または部品については同様の符号を附して説明を割愛すると、保護カバー部材は、筐体２の裏面側に配置される底面１３と、筐体の前後面に配置される前後側面１４（図４では後側面は不図示）と、表示部の表示面を保護する保護面と裏面に面ファスナーを固定した端部１６とを折り曲げ可能に設けている。また、底面１３は枠体基部６の４隅で締結部材であるカシメ部材２０で固定されている。
【００４１】
以上の構成によれば、図４の携帯機器用保護カバーを傾斜状態にした側面図である図５をさらに参照して、保護カバー部材の保護面８ａ、８ａは二つ折可能に形成されており、保護カバー部材が表示部３ａから２７０度以上開かれ、保護面が図示のように折り曲げられ双方の面ファスナー１１、１２が図示のように係止されることで図示のような傾斜状態にすることが可能となる。
【００４２】
また、再度、図４において、枠体基部６には一端が回動軸支部３１、３１で軸支された専用支持部材３０が設けられているので、上記の保護カバー部材８を表示部３の手前側に出した状態で載置面Ｆで傾斜させて置くことができる。
【００４３】
さらに、図６（ａ）は本発明の第３実施形態に基づく携帯機器用保護カバーを電子機器とともに裏面側から見た外観斜視図、図６（ｂ）は傾斜状態にした外観斜視図である。
【００４４】
本図において、既に説明済みの構成または部品については同様の符号を附して説明を割愛すると、図示の電子機器１は官製はがき半分のサイズを有するハードデイスク内蔵の画像再生専用機であり、側面にイヤフォーン６６を設けている。
【００４５】
この電子機器の筐体２の各角部を保護するための形状部７、７が図示のように形成されるとともに、筐体の裏面２ｆに対向する位置に横梁部材６１が弾性材料から形状部７、７の間を中継するように一体成型された枠部材を着脱自在に設けている。この枠部材の角部にはストラップ１６２を挿入する穴部がさらに一体成型される場合もある。
【００４６】
この枠部材の下方には、下縁部１４が開閉自在に設けられ、かつ表示部の表示面を保護する二つ折可能な保護面８ａ、８ａを有し、かつ横梁部材６１と筐体２の裏面２ｆとの間の隙間にその一端２５が矢印Ｄ４方向に挿入される保護カバー部材が設けられている。
【００４７】
図６（ｂ）に図示のように表示部を載置面に対する傾斜状態で支持するために保護カバー部材を表示部から２７０度の角度分以上開き、保護面８ａ、８ａを図示のように二つ折りした後に、上面１５から折り曲げ可能に設けられた一端２５を横梁部材６１に矢印Ｄ５方向に挿入することで、電子機器の載置面に対する傾斜状態にすることができる。また、一端２５の横梁部材６１に対する矢印Ｄ６方向の挿入度合いを調節することで任意の角度にセットすることもできる。
【００４８】
このように形成される電子機器は小型であるのでズボンの尻ポケットに入れられる場合もあり、そのまま着座したときに折れ曲がってしまい内蔵ハードデイスク装置を破損する場合もある。そこで、図６（ａ）において枠部材に破線図示の所定剛性を有する金属芯部材７０をインサート成型することで、上記の落下時のみならず思わぬ外力が加わっても破損から保護できるように構成すると良い。
【００４９】
最後に、図７は保護カバー部材の断面図である。
【００５０】
本図において保護カバー部材の各面を形成する少なくとも保護面は、トリコットを含む裏材８０と、この下方のＥＶＡを含む発泡素材８１と、この下方で心材となるポリエチレンボート８２と、この下方に設けられるとともに柔らかな風合いを実現するウレタンスポンジ８３と、この下方の合成皮革および各種テキスタイルを含む表材８４とが積層されており、縫合８５を含む方法で接合され、かつ上記の折り曲げ部分を同じく縫製部８６で結合して構成されている。なお、ポリエチレンボート８２には、金属線材をその輪郭に沿うようにインサート成型することでその剛性を高めることができる。
【００５１】
以上説明した携帯機器用保護カバーが代表的な構成があるが、これら以外にも電子機器の形状、着脱時の操作性などを考慮した上で随時設計されることは言うまでもない。
【図面の簡単な説明】
【００５２】
【図１】本発明の第１実施形態に基づく携帯機器用保護カバーを電子機器とともに図示した外観斜視図である。
【図２】（ａ）は図１の携帯機器用保護カバー５に電子機器１を装着する前の外観斜視図、（ｂ）は装着後の外観斜視図である。
【図３】（ａ）は携帯時の側面図、（ｂ）は保護カバー部材８を開く様子を図示した側面図、（ｃ）は傾斜状態を図示した側面図である。
【図４】本発明の第２実施形態に基づく携帯機器用保護カバーを電子機器とともに、底面側から見た外観斜視図である。
【図５】図４の携帯機器用保護カバーを傾斜状態にした側面図である。
【図６】（ａ）は本発明の第３実施形態に基づく携帯機器用保護カバーを電子機器とともに裏面側から見た外観斜視図、（ｂ）は傾斜状態にした外観斜視図である。
【図７】保護カバー部材の断面図である。
【符号の説明】
【００５３】
１  電子機器
２  筐体
３  表示部
３ａ  表示面
６  枠体基部
６ａ  延設部
７ａ〜７ｇ  形状部
８  保護カバー部材
８ａ  保護面
９  筒部
１０  係止片
１１  雄面ファスナー
１２  雌面ファスナー
１３  底面カバー部材
１４  前面カバー部材
２５  挿入片
６０  枠部材
６１  横梁部材
７０  インサート部材
【図１】
2007127980.tif 000003
【図２】
2007127980.tif 000004
【図３】
2007127980.tif 000005
【図４】
2007127980.tif 000006
【図５】
2007127980.tif 000007
【図６】
2007127980.tif 000008
【図７】
2007127980.tif 000009